(57)【要約】【課題】多数の硬貨が出金口へ送り出される場合に、前記硬貨が通路の隙間から漏れ出す等の不都合を極力簡易な構成によって回避すること。【解決手段】硬貨処理装置は、硬貨搬出装置４と、正面外装部材１００と、硬貨案内部４４１と、前記硬貨案内部４４１よりも軟質なシート部材４４２とを備える。前記硬貨案内部４４１は、前記正面外装部材１００における出金口１００ｂの下側の縁から本体９９側へ張り出した下板部４４１ａおよび前記下板部４４１ａに連なる一対の側板部４４１ｂを有する。前記シート部材４４２は、前記一対の側板部４４１ｂに固定された一対の側板固定部４４２ａおよび前記一対の側板固定部４４２ａに連なり前記一対の側板部４４１ｂよりも前記本体９９側へ張り出し前記一対の側板部４４１ｂと前記本体９９との間の隙間を埋める一対の本体側張出部４４２ｄを有する。【選択図】図４
2019159821.tif 000002
【特許請求の範囲】
【請求項１】
本体内に設けられ、複数の硬貨を収容する硬貨容器と、
前記本体内に設けられ、前記硬貨容器内の前記硬貨を装置正面側へ送り出す硬貨搬出装置と、
前記本体に取り付けられ、前記装置正面の外装を成し、前記硬貨搬出装置から送り出される前記硬貨の出金口が形成された正面外装部材と、
前記正面外装部材における前記出金口の下側の縁から前記本体側へ張り出した下板部および前記下板部に連なり前記出金口の両側方の縁から前記本体側へ張り出した一対の側板部を有し、前記硬貨搬出装置から送り出される前記硬貨を前記出金口へ案内する硬貨案内部と、
前記一対の側板部に固定された一対の側板固定部および前記一対の側板固定部に連なり前記一対の側板部よりも前記本体側へ張り出し前記一対の側板部と前記本体との間の隙間を埋める一対の本体側張出部を有し、可撓性を有するシート部材と、を備える硬貨処理装置。
【請求項２】
前記シート部材は、
前記一対の側板固定部に連なり、前記一対の側板部から上方へ張り出し前記一対の側板部とともに相互に対向する一対の側壁を形成する一対の側板延長部と、
前記一対の側板延長部と連なる連結部と、をさらに有する請求項１に記載の硬貨処理装置。
【請求項３】
本体内に設けられ、複数の硬貨を収容する硬貨容器と、
前記本体内に設けられ、前記硬貨容器内の前記硬貨を装置正面側へ送り出す硬貨搬出装置と、
前記本体に取り付けられ、前記装置正面の外装を成し、前記硬貨搬出装置から送り出される前記硬貨の出金口が形成された正面外装部材と、
前記正面外装部材における前記出金口の下側の縁から前記本体側へ張り出した下板部および前記下板部に連なり前記出金口の両側方の縁から前記本体側へ張り出した一対の側板部を有し、前記硬貨搬出装置から送り出される前記硬貨を前記出金口へ案内する硬貨案内部と、
可撓性を有するシート部材と、を備え、
前記シート部材は、
前記一対の側板部に固定された一対の側板固定部と、
前記一対の側板固定部に連なり、前記一対の側板部から上方へ張り出し前記一対の側板部とともに相互に対向する一対の側壁を形成する一対の側板延長部と、
前記一対の側板延長部と連なる連結部と、を有する硬貨処理装置。
【請求項４】
前記本体内に設けられた光学装置をさらに備え、
前記シート部材は不透明の部材であり、
前記下板部、前記一対の側板部、前記一対の側板延長部および前記連結部は、前記出金口の周囲を囲む壁を形成する、請求項２または請求項３に記載の硬貨処理装置。
【請求項５】
前記装置正面をなす前記正面外装部材の外側面における前記出金口の縁に取り付けられ、前記硬貨を溜める透明の硬貨受部をさらに備える、請求項４に記載の硬貨処理装置。
【請求項６】
前記正面外装部材に対し前記本体側に設けられたスピーカーをさらに備え、
前記シート部材の前記一対の側板延長部および前記連結部における、前記出金口から前記光学装置へ向かう経路を遮る部分には孔が形成されておらず、その他の部分に前記硬貨よりも小さな複数の孔が形成されている、請求項４または請求項５に記載の硬貨処理装置。
【請求項７】
前記シート部材は、前記連結部に連なり前記正面外装部材の前記本体に対向する内側面における前記出金口の上側の部分に固定される内側面固定部をさらに有する、請求項２から請求項６のいずれか１項に記載の硬貨処理装置。
【請求項８】
前記硬貨搬出装置は、前記硬貨容器内の前記硬貨を釣銭とは関係なく順次連続して前記装置正面側へ送り出すことが可能である、請求項１から請求項７のいずれか１項に記載の硬貨処理装置。
【発明の詳細な説明】
【技術分野】
【０００１】
本発明は、硬貨を出金口へ排出可能な硬貨処理装置に関する。
【背景技術】
【０００２】
一般に、自動精算機、自動販売機および券売機などは、硬貨処理装置を備える。前記硬貨処理装置は、硬貨容器内の硬貨を釣銭として装置前面の出金口に送り出す機能を備える（例えば、特許文献１参照）。
【０００３】
装置の前面パネルにおける前記出金口の縁には、前記出金口へ送り出された前記硬貨を溜める硬貨払出部が取り付けられている。ユーザーは、前記硬貨払出部内の前記硬貨を釣銭として取り出す。
【先行技術文献】
【特許文献】
【０００４】
【特許文献１】特開２０１０−９２５６号公報
【発明の概要】
【発明が解決しようとする課題】
【０００５】
ところで、前記硬貨処理装置が、前記硬貨容器内の前記硬貨を釣銭とは関係なく順次連続して前記出金口へ送り出す硬貨連続排出機能を備える場合がある。この場合、多数の硬貨が前記硬貨払出部に溜まる。
【０００６】
前記硬貨連続排出機能は、前記硬貨容器内の前記硬貨を回収するための管理者向けの機能である。前記硬貨連続排出機能は、本体から前記硬貨容器を取り出す作業を必要としないため、前記管理者にとって便利な機能である。
【０００７】
多数の前記硬貨が前記出金口へ送り出される場合に、前記硬貨払出部から前記硬貨を取り出す操作が遅れると、多くの前記硬貨が前記本体内における前記出金口に繋がる通路で滞留する。この場合、前記硬貨が、前記通路の隙間から漏れ出す、または、前記通路から溢れ出す等の不都合が生じるおそれがある。前記硬貨処理装置において、そのような不都合を回避できることが望まれる。
【０００８】
また、装置のコンパクト化および製造コスト抑制の観点から、極力簡易な構成により、前記硬貨が前記通路の隙間から漏れ出す等の不都合を回避できることが望ましい。
【０００９】
本発明の目的は、多数の硬貨が出金口へ送り出される場合に、前記硬貨が通路の隙間から漏れ出す等の不都合を極力簡易な構成によって回避する硬貨処理装置を提供することにある。
【課題を解決するための手段】
【００１０】
本発明の一の局面に係る硬貨処理装置は、硬貨容器と、硬貨搬出装置と、正面外装部材と、硬貨案内部と、シート部材と、を備える。前記硬貨容器は、本体内に設けられ、複数の硬貨を収容する。前記硬貨搬出装置は、前記本体内に設けられ、前記硬貨容器内の前記硬貨を装置正面側へ送り出す。前記正面外装部材は、前記本体に取り付けられ、前記装置正面の外装を成し、前記硬貨搬出装置から送り出される前記硬貨の出金口が形成された部材である。前記硬貨案内部は、前記正面外装部材における前記出金口の下側の縁から前記本体側へ張り出した下板部および前記下板部に連なり前記出金口の両側方の縁から前記本体側へ張り出した一対の側板部を有し、前記硬貨搬出装置から送り出される前記硬貨を前記出金口へ案内する。前記シート部材は、前記一対の側板部に固定された一対の側板固定部および前記一対の側板固定部に連なり前記一対の側板部よりも前記本体側へ張り出し前記一対の側板部と前記本体との間の隙間を埋める一対の本体側張出部を有し、可撓性を有する。
【００１１】
本発明の他の局面に係る硬貨処理装置は、前記硬貨容器と、前記硬貨搬出装置と、前記正面外装部材と、前記硬貨案内部と、可撓性を有するシート部材と、を備える。前記シート部材は、一対の側板固定部と、一対の側板延長部と、連結部と、を有する。前記一対の側板固定部は、前記一対の側板部に固定された部分である。前記一対の側板延長部は、前記一対の側板固定部に連なり、前記一対の側板部から上方へ張り出し前記一対の側板部とともに相互に対向する一対の側壁を形成する。前記連結部は、前記一対の側板延長部と連なる。
【発明の効果】
【００１２】
本発明によれば、多数の硬貨が出金口へ送り出される場合に、前記硬貨が通路の隙間から漏れ出す等の不都合を極力簡易な構成によって回避する硬貨処理装置を提供することが可能になる。
【図面の簡単な説明】
【００１３】
【図１】図１は、第１実施形態に係る硬貨処理装置を含む自動精算機の断面図である。
【図２】図２は、第１実施形態に係る硬貨処理装置の構成図である。
【図３】図３は、第１実施形態に係る硬貨処理装置における制御部のブロック図である。
【図４】図４は、第１実施形態に係る硬貨処理装置における硬貨払出部の側面図である。
【図５】図５は、第１実施形態に係る硬貨処理装置における内側硬貨払出部の分解斜視図である。
【図６】図６は、第１実施形態に係る硬貨処理装置における内側硬貨払出部の斜視図である。
【図７】図７は、第２実施形態に係る硬貨処理装置における硬貨払出部の側面図である。
【発明を実施するための形態】
【００１４】
以下、図面を参照しながら、本発明の実施形態について説明する。なお、以下の実施形態は、本発明を具体化した一例であって、本発明の技術的範囲を限定するものではない。
【００１５】
［第１実施形態：自動精算機１０００］
図１に示されるように、第１実施形態に係る硬貨処理装置１０は、自動精算機１０００の一部を構成している。自動精算機１０００は、硬貨処理装置１０と紙幣処理装置２０とを備える。なお、図１において、自動精算機１０００の一部の図示が省略されている。
【００１６】
図１において、太い破線で囲まれる部分が硬貨処理装置１０であり、太い一点鎖線で囲まれる部分が紙幣処理装置２０である。なお、図１において、硬貨処理装置１０および紙幣処理装置２０は、それぞれの一部が前後に重なる状態で配置されている。
【００１７】
さらに、自動精算機１０００は、硬貨処理装置１０および紙幣処理装置２０に共通の制御装置５も備える（図２参照）。なお、図１において、自動精算機１０００の一部が仮想線（２点鎖線）で描かれている。
【００１８】
硬貨処理装置１０は、硬貨投入部１１に投入される硬貨９を主硬貨容器３０または予備硬貨容器３９へ回収する硬貨回収機能と、主硬貨容器３０内の硬貨９を釣銭として硬貨払出部４３へ排出する硬貨払出機能とを備える。
【００１９】
同様に、紙幣処理装置２０は、紙幣出入口６１に挿入される紙幣を不図示の紙幣容器へ回収する紙幣回収機能と、前記紙幣容器内の前記紙幣を釣銭として紙幣出入口６１へ排出する紙幣払出機能とを備える。
【００２０】
図１に示される自動精算機１０００は、第１正面１０１およびその反対側の第２正面１０２のそれぞれに、硬貨投入部１１、硬貨払出部４３および紙幣出入口６１を備える。なお、第１正面１０１および第２正面１０２は、硬貨処理装置１０および紙幣処理装置２０それぞれの装置正面でもある。
【００２１】
［硬貨処理装置１０］
図１に示されるように、硬貨処理装置１０は、２つの硬貨受入装置１と、硬貨搬入装置２と、３つの硬貨入出金装置３と、予備硬貨容器３９と、硬貨搬出装置４と、２つの硬貨払出部４３とを備えている。
【００２２】
硬貨搬入装置２、３つの硬貨入出金装置３、予備硬貨容器３９および硬貨搬出装置４は、自動精算機１０００の本体９９内に設けられている。なお、自動精算機１０００の本体９９は、硬貨処理装置１０および紙幣処理装置２０それぞれの本体でもある。
【００２３】
図２に示されるように、自動精算機１０００は、本体９９に取り付けられた２つの正面外装部材１００を備える。２つの正面外装部材１００は、第１正面１０１および第２正面１０２の外装を成す部材である。
【００２４】
例えば、正面外装部材１００が金属製の部材であることが考えられる。正面外装部材１００には、入金口１００ａおよび出金口１００ｂが形成されている。なお、２つの正面外装部材１００は、硬貨処理装置１０および紙幣処理装置２０の外装を成す部材でもある。
【００２５】
２つの硬貨投入部１１のうちの一方は第１正面１０１を成す正面外装部材１００に取り付けられており、他方は第２正面１０２を成す正面外装部材１００に取り付けられている。
【００２６】
以下の説明において、正面外装部材１００における第１正面１０１または第２正面１０２を成す外側の面のことと外側面１００ｘと称し、本体９９に対向する内側の面のことを内側面１００ｙと称する（図２参照）。なお、外側面１００ｘおよび内側面１００ｙは、それぞれ正面外装部材１００のオモテ面およびウラ面でもある。
【００２７】
硬貨投入部１１は、正面外装部材１００における入金口１００ａが形成された部分に取り付けられている。入金口１００ａは、正面外装部材１００を外側面１００ｘから内側面１００ｙへ貫通する開口である。
【００２８】
硬貨投入部１１における正面外装部材１００の外側面１００ｘ側の部分に投入された硬貨９は、自重によって入金口１００ａを通過して硬貨投入部１１における正面外装部材１００の内側面１００ｙ側の部分へ移動する。
【００２９】
硬貨入出金装置３各々は、複数の硬貨９を収容可能な主硬貨容器３０と、主硬貨容器３０から硬貨９を排出する硬貨排出装置３３とを備える。主硬貨容器３０は、隔壁３１０によって第１収容室３１と第２収容室３２とに区切られている。
【００３０】
硬貨処理装置１０は、３つの主硬貨容器３０を備えるため、３つの第１収容室３１と３つの第２収容室３２とを有する。第１収容室３１は、第２収容室３２よりも容積が大きい。３つの第１収容室３１および３つの第２収容室３２は、それぞれ予め定められた種類の硬貨９を収容する。
【００３１】
以下の説明において、第１収容室３１に収容される硬貨９は、第２収容室３２に収容される硬貨９よりも釣銭として使用される頻度が高い硬貨である。硬貨９の種類は、自動精算機１０００の用途および自動精算機１０００が設置される地域などに応じて定められる。
【００３２】
例えば、第１収容室３１に収容される硬貨９が、１円硬貨、１０円硬貨および１００円硬貨であり、第２収容室３２に収容される硬貨９が、５円硬貨、５０円硬貨および５００円硬貨であることが考えられる。もちろん、第１収容室３１および第２収容室３２のそれぞれに収容される硬貨９の種類はこの限りではない。
【００３３】
硬貨受入装置１は、硬貨投入部１１および硬貨識別装置１２を有する。硬貨識別装置１２は、硬貨投入部１１に投入される硬貨９の種類を識別する。例えば、硬貨識別装置１２は、硬貨９の大きさ、重量および材質のうちの１つまたは複数を判定し、その判定結果に応じて硬貨９の種類を識別する。硬貨識別装置１２は、硬貨９の種類の識別結果を制御装置５へ送信する。
【００３４】
硬貨搬入装置２は、硬貨投入部１１に投入され、硬貨識別装置１２を通過した硬貨９を予め定められた搬入位置Ｐ０へ搬送する。本実施形態において、硬貨搬入装置２は、硬貨９の種類に応じた複数の搬入位置Ｐ０へ硬貨９を搬送する。
【００３５】
複数の搬入位置Ｐ０は、３つの主硬貨容器３０における第１収容室３１および第２収容室３２と、１つの予備硬貨容器３９とに対して上方の位置である。
【００３６】
例えば、硬貨搬入装置２がベルトコンベアであることが考えられる。この場合、硬貨搬入装置２は、回転可能に支持された無担の搬入ベルト２１と、搬入ベルト２１を回転させる搬入モーター２２とを備える。
【００３７】
搬入モーター２２が正回転することにより、搬入ベルト２１は、２つの硬貨投入部１１の一方に投入された硬貨９を搬入位置Ｐ０へ搬送する。同様に、搬入モーター２２が逆回転することにより、搬入ベルト２１は、２つの硬貨投入部１１の他方に投入された硬貨９を搬入位置Ｐ０へ搬送する。
【００３８】
搬入ベルト２１は、複数の搬入位置Ｐ０に沿って配置されている。搬入ベルト２１は、硬貨９の上面に接し、硬貨９を搬送板２４上に滑らせつつ搬送する。
【００３９】
硬貨搬入装置２は、複数の搬入位置Ｐ０に対応する複数のゲート機構２３をさらに備える。ゲート機構２３各々は、搬入位置Ｐ０に配置されたシャッター２３１とシャッター２３１を変位させるソレノイドなどのアクチュエーター２３２とを備える。
【００４０】
シャッター２３１は、搬送板２４に形成された開口を閉じる閉位置と、前記開口を解放する開位置との間で変位可能な部材である。アクチュエーター２３２は、制御装置５の制御信号に従って、シャッター２３１を一時的に前記閉位置から前記開位置へ変位させる。
【００４１】
搬入ベルト２１が硬貨９を搬送しているときに、第１収容室３１の上方のシャッター２３１が開くと、硬貨９が搬送板２４の前記開口を通じて第１収容室３１内へ落下する。
【００４２】
同様に、搬入ベルト２１が硬貨９を搬送しているときに、第２収容室３２の上方のシャッター２３１が開くと、硬貨９が搬送板２４の前記開口を通じて第２収容室３２内へ落下する。
【００４３】
同様に、搬入ベルト２１が硬貨９を搬送しているときに、予備硬貨容器３９の上方のシャッター２３１が開くと、硬貨９が搬送板２４の前記開口を通じて予備硬貨容器３９内へ落下する。
【００４４】
硬貨排出装置３３は、硬貨９を主硬貨容器３０から１枚ずつ釣銭として排出する。硬貨排出装置３３各々は、第１収容室３１の底部を成す第１回転板３３１と、第２収容室３２の底部を成す第２回転板３３２と、第１回転板３３１および第２回転板３３２を回転させる回転板駆動機構３３０とを備える。回転板駆動機構３３０は、排出モーター３３０ａおよび排出ギヤ機構３３０ｂを備える（図２参照）。
【００４５】
第１回転板３３１は、主硬貨容器３０の第１収容室３１の底で回転可能に支持されている。第２回転板３３２は、主硬貨容器３０の第２収容室３２の底で回転可能に支持されている。
【００４６】
回転板駆動機構３３０は、第１回転板３３１および第２回転板３３２を回転させる。即ち、第１回転板３３１および第２回転板３３２は、排出モーター３３０ａから排出ギヤ機構３３０ｂを通じて回転力が伝達されることによって回転する。
【００４７】
排出ギヤ機構３３０ｂは、不図示の第１ワンウェイクラッチおよび第２ワンウェイクラッチを含む。前記第１ワンウェイクラッチは、第１回転板３３１を第１回転方向にのみ回転させ、前記第２ワンウェイクラッチは、第２回転板３３２を第２回転方向にのみ回転させる。
【００４８】
回転板駆動機構３３０が第１回転板３３１を前記第１回転方向へ回転させることにより、第１収容室３１内の硬貨９が、１枚ずつ硬貨搬出装置４へ排出される。回転板駆動機構３３０が第２回転板３３２を前記第２回転方向へ回転させることにより、第２収容室３２内の硬貨９が、１枚ずつ硬貨搬出装置４へ排出される。
【００４９】
硬貨搬出装置４は、第１収容室３１および第２収容室３２の一方または両方から排出される硬貨９を、釣銭として硬貨払出部４３へ搬送する。即ち、硬貨搬出装置４は、主硬貨容器３０内の硬貨９を第１正面１０１側または第２正面１０２側へ送り出す。
【００５０】
例えば、硬貨搬出装置４がベルトコンベアであることが考えられる。この場合、硬貨搬出装置４は、回転可能に支持された無担の搬出ベルト４１と、搬出ベルト４１を回転させる搬出モーター４２とを備える。
【００５１】
搬出モーター４２が正回転することにより、搬出ベルト４１は、硬貨９を２つの硬貨払出部４３のうち一方へ搬送する。同様に、搬出モーター４２が逆正回転することにより、搬出ベルト４１は、硬貨９を２つの硬貨払出部４３の他方へ搬送する。
【００５２】
２つの硬貨払出部４３のうちの一方は第１正面１０１を成す正面外装部材１００に取り付けられており、他方は第２正面１０２を成す正面外装部材１００に取り付けられている。
【００５３】
硬貨払出部４３は、正面外装部材１００における出金口１００ｂの縁に取り付けられている。出金口１００ｂは、正面外装部材１００を外側面１００ｘから内側面１００ｙへ貫通する開口である。
【００５４】
硬貨搬出装置４によって硬貨払出部４３における正面外装部材１００の内側面１００ｙ側の部分へ搬送された硬貨９は、自重によって出金口１００ｂを通過して硬貨払出部４３における正面外装部材１００の外側面１００ｘ側の部分へ移動する。
【００５５】
図３に示されるように、制御装置５は、ＣＰＵ（Central Processing Unit）５１、ＲＡＭ（Random Access Memory）５２、二次記憶装置５３および通信装置５４などを備える。
【００５６】
なお、図１に示されるように、紙幣処理装置２０は、紙幣搬送機構６３も備える。紙幣搬送機構６３は、紙幣出入口６１に挿入される紙幣を前記紙幣容器へ搬送可能である。さらに、紙幣搬送機構６３は、前記紙幣容器内の前記紙幣の一部を紙幣出入口６１へ釣銭として搬送可能である。
【００５７】
さらに、紙幣処理装置２０は、本体９９内における前記紙幣の搬送経路に設けられた紙幣識別装置６４も備える（図１参照）。紙幣識別装置６４は、紙幣出入口６１に挿入された後に本体９９内で搬送される紙幣の種類を識別する。紙幣識別装置６４は、紙幣の種類の識別結果を制御装置５へ送信する。
【００５８】
ＣＰＵ５１は、二次記憶装置５３に記憶されたコンピュータープログラムを実行する。これにより、ＣＰＵ５１は、硬貨入金制御部５１ａ、紙幣入金制御部５１ｂ、釣銭額算出部５１ｃ、硬貨出金制御部５１ｄおよび紙幣出金制御部５１ｅとして動作する。
【００５９】
ＲＡＭ５２は、コンピューター読み取り可能な揮発性の記憶装置である。ＲＡＭ５２は、ＣＰＵ５１が実行する前記コンピュータープログラムおよびＣＰＵ５１が前記コンピュータープログラムを実行する過程で出力および参照するデータを一次記憶する。
【００６０】
二次記憶装置５３は、コンピューター読み取り可能な不揮発性のデータ記憶装置である。二次記憶装置５３は、前記コンピュータープログラムおよび各種のデータを記憶可能である。例えば、フラッシュメモリーまたはＥＥＰＲＯＭ（Electrically Erasable Programmable Read Only Memory）などが、二次記憶装置５３として採用されることが考えられる。
【００６１】
通信装置５４は、予め定められた通信プロトコルに従って不図示のホスト装置との間で通信を実行する。ＣＰＵ５１は、通信装置５４を通じて前記ホスト装置との間でデータの受け渡しを行う。
【００６２】
硬貨入金制御部５１ａは、２つの硬貨識別装置１２から硬貨９の種類の識別結果を取得し、硬貨搬入装置２の搬入モーター２２を制御する。さらに、硬貨入金制御部５１ａは、硬貨９の種類の識別結果を、通信装置５４を通じて予め定められたホスト装置へ送信する。
【００６３】
具体的には、硬貨入金制御部５１ａは、硬貨９の種類の識別結果の取得先に対応する方向へ搬入モーター２２を回転させる。さらに、硬貨入金制御部５１ａは、硬貨９の種類の識別結果に対応する搬入位置Ｐ０のシャッター２３１を開く方向へアクチュエーター２３２を制御する。これにより、硬貨９が、硬貨９の種類の識別結果に対応する第１収容室３１内または第２収容室内へ落下する。
【００６４】
但し、硬貨９の種類の識別結果に対応する第１収容室３１または第２収容室３２の満杯が検出されている場合、硬貨入金制御部５１ａは、予備硬貨容器３９に対応するシャッター２３１を開く方向へアクチュエーター２３２を制御する。これにより、硬貨９が、予備硬貨容器３９内へ落下する。
【００６５】
例えば、不図示のレベルセンサーが、第１収容室３１および第２収容室３２のそれぞれに設けられることが考えられる。この場合、前記レベルセンサーが、第１収容室３１および第２収容室３２それぞれについて、硬貨９が予め定められた満杯レベルまで積み上がったか否かを検出する。
【００６６】
また、硬貨入金制御部５１ａが、第１収容室３１および第２収容室３２のそれぞれへの硬貨９の累積搬入枚数をカウントすることも考えられる。
【００６７】
紙幣入金制御部５１ｂは、紙幣処理装置２０が備える紙幣識別装置６４から紙幣の種類の識別結果を取得し、紙幣搬送機構６３が備えるモーターを制御する。さらに、紙幣入金制御部５１ｂは、前記紙幣の種類の識別結果を、通信装置５４を通じて前記ホスト装置へ送信する。
【００６８】
以下の説明において、第１正面１０１および第２正面１０２のうち、硬貨９の種類を識別した硬貨識別装置１２または紙幣識別装置６４によって種類が識別された前記紙幣の挿入口となった紙幣出入口６１が存在する側の一方を入金側正面と称する。
【００６９】
釣銭額算出部５１ｃは、２つの硬貨識別装置１２および紙幣識別装置６４から硬貨９の種類および前記紙幣の種類の識別結果を取得し、入金額を計算する。さらに、釣銭額算出部５１ｃは、前記ホスト装置から精算額を受信し、前記入金額と前記精算額との差額を釣銭額として算出する。さらに、釣銭額算出部５１ｃは、前記釣銭額に相当する釣銭用の紙幣の種類および枚数と釣銭用の硬貨９の種類および枚数とを設定する。
【００７０】
硬貨出金制御部５１ｄは、釣銭額算出部５１ｃにより設定された釣銭用の硬貨９の種類に応じて、動作させる排出モーター３３０ａおよびその回転方向を決定する。さらに、釣銭額算出部５１ｃにより設定された釣銭用の硬貨９の枚数に応じて排出モーター３３０ａの回転数を制御する。
【００７１】
さらに、硬貨出金制御部５１ｄは、前記入金側正面に対応する方向へ排出モーター３３０ａを回転させる。これにより、釣銭用の硬貨９が硬貨払出部４３へ排出される。
【００７２】
紙幣出金制御部５１ｅは、釣銭額算出部５１ｃにより設定された釣銭用の紙幣の種類に応じて、紙幣搬送機構６３に含まれるモーターおよびアクチュエーターを制御する。これにより、釣銭用の紙幣が紙幣出入口６１へ排出される。
【００７３】
ところで、硬貨処理装置１０は、主硬貨容器３０内の硬貨９を釣銭とは関係なく順次連続して硬貨払出部４３へ送り出す硬貨連続排出機能を備える。この場合、多数の硬貨９が硬貨払出部４３に溜まる。
【００７４】
例えば、硬貨出金制御部５１ｄは、不図示の管理者用操作部に対して予め定められた特殊開始操作が行われたことを検出した場合に、硬貨連続排出制御を実行する。前記特殊開始操作は、３つの第１収容室３１のうちの１つ、または、３つの第２収容室３２のうちの１つを対象収容室として指定する操作を含む。
【００７５】
前記硬貨連続排出制御において、硬貨出金制御部５１ｄは、予め定められた終了イベントが発生するまで、前記対象収容室に対応する搬出モーター４２を前記対象収容室に対応する方向へ回転させる。
【００７６】
例えば、前記終了イベントの第１の例は、不図示の硬貨センサーによって前記対象収容室が空になったことが検出されたことである。また、前記終了イベントの第２の例は、硬貨入金制御部５１ａによって前記対象収容室についてカウントされた前記累積搬入枚数に対応する回転数分だけ搬出モーター４２が回転したことである。
【００７７】
前記硬貨連続排出制御が行われることにより、硬貨搬出装置４は、３つの主硬貨容器３０内の硬貨９を釣銭とは関係なく順次連続して第１正面１０１側または第２正面１０２側へ送り出すことが可能である。
【００７８】
前記硬貨連続排出機能は、主硬貨容器３０内の硬貨９を回収するための管理者向けの機能である。前記硬貨連続排出機能は、本体９９から主硬貨容器３０を取り出す作業を必要としないため、前記管理者にとって便利な機能である。
【００７９】
前記硬貨連続排出機能によって多数の硬貨９が硬貨払出部４３へ送り出される場合に、硬貨払出部４３から硬貨９を取り出す操作が遅れると、多くの硬貨９が本体９９内における出金口１００ｂに繋がる通路で滞留する。この場合、硬貨９が、前記通路の隙間から漏れ出す、または、前記通路から溢れ出す等の不都合が生じるおそれがある。硬貨処理装置１０において、そのような不都合を回避できることが望まれる。
【００８０】
また、硬貨処理装置１０のコンパクト化および製造コスト抑制の観点から、極力簡易な構成により、硬貨９が前記通路の隙間から漏れ出す等の不都合を回避できることが望ましい。
【００８１】
硬貨処理装置１０は、多数の硬貨９が出金口１００ｂへ送り出される場合において、硬貨９が前記通路の隙間から漏れ出す等の不都合を極力簡易な構成によって回避できる硬貨払出部４３を備える。
【００８２】
［硬貨払出部４３］
図１および図４に示されるように、硬貨払出部４３は、内側硬貨払出部４４と、外側硬貨払出部４５とを含む。
【００８３】
内側硬貨払出部４４は、硬貨払出部４３における正面外装部材１００の内側面１００ｙ側の部分である。外側硬貨払出部４５は、硬貨払出部４３における正面外装部材１００の外側面１００ｘ側の部分である。
【００８４】
外側硬貨払出部４５は、正面外装部材１００における出金口１００ｂの縁に取り付けられた合成樹脂製の硬質の部材である。
【００８５】
図６に示されるように、外側硬貨払出部４５は、硬貨を溜める硬貨受部４５ａを有する。さらに、外側硬貨払出部４５は、硬貨受部４５ａの上方の開口を開閉可能な可動カバー部４５ｂも有する。ユーザーまたは管理者は、可動カバー部４５ｂを開いた上で、硬貨９を硬貨受部４５ａ内から取り出す。
【００８６】
本実施形態において、外側硬貨払出部４５は、透明な部材である。これにより、前記ユーザーまたは前記管理者は、硬貨受部４５ａ内の硬貨９を視認することができる。その結果、外側硬貨払出部４５が透明であることは、前記ユーザーまたは前記管理者が硬貨受部４５ａ内の硬貨９を取り忘れることを防ぐことに寄与する。
【００８７】
なお、可動カバー部４５ｂが透明な部材であり、硬貨受部４５ａが、硬貨９を目立ちやすくする黄色または橙色などの不透明な色の部材であることも考えられる。
【００８８】
図４〜図６に示されるように、内側硬貨払出部４４は、硬貨案内部４４１と、シート部材４４２とを含む。硬貨案内部４４１は、正面外装部材１００における出金口１００ｂの縁に取り付けられた合成樹脂製の硬質の部材である。
【００８９】
硬貨案内部４４１は、下板部４４１ａおよび一対の側板部４４１ｂを有する。硬貨案内部４４１は、硬貨搬出装置４の搬出ベルト４１から送り出される硬貨９を出金口１００ｂへ案内する。
【００９０】
下板部４４１ａは、正面外装部材１００における出金口１００ｂの下側の縁から本体９９側へ張り出して形成されている。下板部４４１ａは、正面外装部材１００から搬出ベルト４１の下部へ向かって斜め上方へ傾斜している。
【００９１】
即ち、下板部４４１ａは、搬出ベルト４１の下部から出金口１００ｂへ向かって斜め下方へ傾斜している。従って、硬貨搬出装置４の搬出ベルト４１から送り出される硬貨９は、下板部４４１ａ上に落下し、さらに、自重によって下板部４４１ａ上を滑り落ちる。これにより、硬貨９は、出金口１００ｂを通過し、さらに硬貨受部４５ａ内へ移動する。
【００９２】
一対の側板部４４１ｂは、下板部４４１ａに連なり、正面外装部材１００における出金口１００ｂの両側方の縁から本体９９側へ張り出して形成されている。本実施形態において、下板部４４１ａは、一対の側板部４４１ｂよりも本体９９側へ突出している。
【００９３】
一対の側板部４４１ｂは、硬貨９が下板部４４１ａからこぼれ落ちることを防ぐ。硬貨案内部４４１の内部は、本体９９内における出金口１００ｂに繋がる通路の一部である。
【００９４】
前述したように、硬貨案内部４４１は硬質な部材である。そのため、一対の側板部４４１ｂと本体９９のフレーム９９ａとの干渉を防ぐため、一対の側板部４４１ｂは、本体９９のフレーム９９ａとの間に隙間を隔てて配置される。前記隙間の大きさは、硬貨案内部４４１および正面外装部材１００などの各種の部材の寸法公差を考慮して定められる。
【００９５】
硬貨搬出装置４が釣銭として送り出す硬貨９の数は多くない。そのため、硬貨搬出装置４が硬貨９を釣銭として送り出す場合、硬貨９が硬貨案内部４４１内で滞留することはない。この場合、硬貨９が、一対の側板部４４１ｂと本体９９のフレーム９９ａとの間の隙間から漏れ出す、または、硬貨案内部４４１から溢れ出す等の不都合は生じない。
【００９６】
一方、前記硬貨連続排出制御によって多数の硬貨９が出金口１００ｂへ送り出される場合に、硬貨払出部４３の硬貨受部４５ａから硬貨９を取り出す操作が遅れると、多くの硬貨９が硬貨受部４５ａ内および硬貨案内部４４１内で滞留する。
【００９７】
硬貨９が硬貨案内部４４１内で滞留すると、硬貨９が、一対の側板部４４１ｂと本体９９のフレーム９９ａとの間の隙間から漏れ出す、または、硬貨案内部４４１から溢れ出す等の不都合が生じるおそれがある。
【００９８】
シート部材４４２は、硬貨９が、一対の側板部４４１ｂと本体９９のフレーム９９ａとの間の隙間から漏れ出すこと、および、硬貨案内部４４１から溢れ出すことを防ぐ。
【００９９】
シート部材４４２は、一対の側板部４４１ｂよりも薄く、可撓性を有する。従って、シート部材４４２は、硬貨案内部４４１よりも軟質である。例えば、シート部材４４２は、ポリエチレンテレフタラートを主成分とするシート状の部材である。
【０１００】
シート部材４４２は、不透明の部材である。例えば、シート部材４４２が黒色の部材であることが考えられる。
【０１０１】
シート部材４４２は、一対の側板固定部４４２ａと、一対の側板延長部４４２ｂと、連結部４４２ｃと、一対の本体側張出部４４２ｄとを有する。シート部材４４２は、平らなシート状の部材が折り曲げられることによって得られる部材である。
【０１０２】
一対の側板固定部４４２ａ、一対の側板延長部４４２ｂおよび一対の本体側張出部４４２ｄは、鉛直方向に沿って形成されている。一方、連結部４４２ｃは、水平方向に沿って形成されている。
【０１０３】
一対の側板固定部４４２ａは、一対の側板部４４１ｂに固定された部分である。例えば、一対の側板固定部４４２ａは、接着剤またはネジなどによって一対の側板部４４１ｂに固定される。
【０１０４】
一対の側板延長部４４２ｂは、一対の側板固定部４４２ａに連なっており、一対の側板部４４１ｂから上方へ張り出している。一対の側板延長部４４２ｂは、一対の側板部４４１ｂとともに相互に対向する一対の側壁を形成する。即ち、一対の側板延長部４４２ｂは、一対の側板部４４１ｂが形成する硬貨９の通路の両側の側壁を上方へ延長する部分である。
【０１０５】
本実施形態において、一対の側板延長部４４２ｂは形状が異なる。一対の側板延長部４４２ｂ各々の形状は、本体９９における対向する部分の形状に応じて定まる。従って、一対の側板延長部４４２ｂの形状が同じであることも考えられる。
【０１０６】
連結部４４２ｃは、一対の側板延長部４４２ｂと連なる部分である。連結部４４２ｃは、一対の側板延長部４４２ｂが硬貨９から受ける圧力によって外側へ変形することを防ぐ補強部である。
【０１０７】
下板部４４１ａ、一対の側板部４４１ｂ、一対の側板延長部４４２ｂおよび連結部４４２ｃは、出金口１００ｂの周囲を囲む壁を形成する。
【０１０８】
本実施形態において、シート部材４４２は、連結部４４２ｃに連なる内側面固定部４４２ｅをさらに有する。内側面固定部４４２ｅは、鉛直方向に沿って形成されている。
【０１０９】
内側面固定部４４２ｅは、正面外装部材１００の内側面１００ｙにおける出金口１００ｂの上側の部分に固定される部分である。例えば、内側面固定部４４２ｅは、接着剤またはネジなどによって正面外装部材１００の内側面１００ｙに固定される。
【０１１０】
内側面固定部４４２ｅは、一対の側板延長部４４２ｂが硬貨９から受ける圧力によって外側へ変形することをより確実に防ぐ。
【０１１１】
また、図４に示されるように、紙幣識別装置６４は、出金口１００ｂに対して本体９９側の上方に配置されている。紙幣識別装置６４は、紙幣を撮影するカメラなどの光学装置６４ａを含む。
【０１１２】
硬貨処理装置１０の外部の光が、出金口１００ｂを通過して光学装置６４ａに入射すると、紙幣識別装置６４が紙幣を誤認識するおそれがある。本実施形態において、連結部４４２ｃは、出金口１００ｂから光学装置６４ａへ向かう経路を遮る遮光部でもある。
【０１１３】
本実施形態において、連結部４４２ｃの一部は、一対の側板延長部４４２ｂよりも本体９９側へ突出している。
【０１１４】
一対の本体側張出部４４２ｄは、一対の側板固定部４４２ａに連なり、一対の側板部４４１ｂよりも本体９９側へ張り出した部分である。一対の本体側張出部４４２ｄは、一対の側板部４４１ｂと本体９９との間の隙間を埋める。
【０１１５】
図４に示される例では、一対の本体側張出部４４２ｄは、一対の側板部４４１ｂと本体９９のフレーム９９ａとの間の隙間を埋める。
【０１１６】
一対の本体側張出部４４２ｄは、硬貨９が一対の側板部４４１ｂと本体９９のフレーム９９ａとの間の隙間から漏れ出すことを防ぐ。
【０１１７】
シート部材４４２は、可撓性を有する柔軟な部材である。そのため、仮に一対の本体側張出部４４２ｄが本体９９のフレーム９９ａに接触した場合でも、シート部材４４２が損傷する、または、正面外装部材１００を本体９９に正しく取り付けることができない、などの不都合は生じない。
【０１１８】
図６には、硬貨処理装置１０が備えるスピーカー８１が仮想線で示されている。スピーカー８１は、アラーム音またはメッセージ音声などを出力する。スピーカー８１は、正面外装部材１００に対し本体９９側に設けられている。例えば、スピーカー８１が、正面外装部材１００の内側面１００ｙに取り付けられている。
【０１１９】
シート部材４４２の一対の側板延長部４４２ｂには、硬貨９よりも小さな複数の孔４４２ｆが形成されている。これにより、スピーカー８１が出力する音が、複数の孔４４２ｆおよび出金口１００ｂを通じて硬貨処理装置１０の外へ伝搬しやすい。
【０１２０】
なお、硬貨処理装置１０の外装部材は、高い防水性が要求される。そのため、正面外装部材１００には、スピーカー８１が出力する音を外側面１００ｘ側へ伝搬させる専用の孔は形成されていない。
【０１２１】
また、孔４４２ｆの径が硬貨９の径よりも小さいため、硬貨９が孔４４２ｆを通じてシート部材４４２の外側へ漏れ出すこともない。
【０１２２】
本実施形態において、一対の側板延長部４４２ｂは、シート部材４４２において、出金口１００ｂから光学装置６４ａへ向かう経路を遮らない部分である。一方、連結部４４２ｃには孔４４２ｆは形成されていない。前述したように、連結部４４２ｃは、出金口１００ｂから光学装置６４ａへ向かう経路を遮る部分である。
【０１２３】
以上に示されるように、硬貨処理装置１０が採用されれば、多数の硬貨９が出金口１００ｂへ送り出される場合に、硬貨９が通路の隙間から漏れ出す、または、硬貨９が硬貨案内部４４１から溢れ出す等の不都合な状況の発生を回避することができる。
【０１２４】
また、シート部材４４２を硬貨案内部４４１に追加するという極簡易な構成により、硬貨９の漏れ等の不都合な状況の発生を回避することができる。
【０１２５】
また、硬貨案内部４４１等の部品を交換することなくシート部材４４２を追加することにより、シート部材４４２を備えていない既存の硬化処理装置を改良することも容易である。
【０１２６】
［第２実施形態］
次に、図７を参照しつつ、第２実施形態に係る硬貨処理装置について説明する。図７において、図１〜図６に示される構成要素と同じ構成要素は、同じ参照符号が付されている。
【０１２７】
本実施形態に係る硬貨処理装置は、硬貨処理装置１０のシート部材４４２がシート部材４４２Ｐに置き換えられた構成を有している。
【０１２８】
シート部材４４２Ｐは、シート部材４４２から一対の側板延長部４４２ｂが省略された構成を有している。シート部材４４２Ｐは、シート部材４４２と同様に、一対の側板固定部４４２ａと、連結部４４２ｃと、本体側張出部４４２ｄとを有する。
【０１２９】
シート部材４４２Ｐにおいて、連結部４４２ｃは、一対の側板固定部４４２ａに連なっている。また、図７に示される例では、連結部４４２ｃは、一部が折れ曲がった板状である。シート部材４４２Ｐの連結部４４２ｃも、出金口１００ｂから光学装置６４ａへ向かう経路を遮る遮光部の役割を果たす。
【０１３０】
硬貨案内部４４１における一対の側板部４４１ｂの下板部４４１ａからの高さが十分に高い場合、シート部材４４２Ｐが採用されてもよい。
【０１３１】
［第３実施形態］
第３実施形態に係る硬貨処理装置は、硬貨処理装置１０と同様の構成を備えるが、シート部材４４２から孔４４２ｆが省略されている。
【０１３２】
スピーカー８１の音を正面外装部材１００の外側面１００ｘ側へ伝搬しやすくすることが特に要求されない場合、本実施形態が採用されてもよい。
【０１３３】
［第４実施形態］
硬貨処理装置１０のシート部材４４２において、複数の孔４４２ｆが一対の側板部４４１ｂの両方に形成されている。
【０１３４】
しかしながら、硬貨９よりも小さな複数の孔４４２ｆが一対の側板部４４１ｂの一方にのみ形成されたシート部材４４２を備える硬化処理装置が、第４実施形態として採用されることも考えられる。
【０１３５】
［第５実施形態］
硬貨処理装置１０のシート部材４４２において、複数の孔４４２ｆが、一対の側板部４４１ｂに形成されている。
【０１３６】
しかしながら、硬貨９よりも小さな複数の孔４４２ｆが連結部４４２ｃに形成されたシート部材４４２を備える硬化処理装置が、第５実施形態として採用されることも考えられる。
【０１３７】
本実施形態において、光学装置６４ａを含む紙幣認識装置６４は、出金口１００ｂから一対の側板延長部４４２ｂの一方である第１側板延長部に向かう経路の延長線上の位置に配置されている。
【０１３８】
本実施形態において、連結部４４２ｃは、シート部材４４２において、出金口１００ｂから光学装置６４ａへ向かう経路を遮らない部分である。一方、一対の側板部４４１ｂにおける少なくとも前記第１側板延長部には、孔４４２ｆは形成されていない。前記第１側板延長部は、出金口１００ｂから光学装置６４ａへ向かう経路を遮る部分である。
【符号の説明】
【０１３９】
１        ：硬貨受入装置
２        ：硬貨搬入装置
３        ：硬貨入出金装置
４        ：硬貨搬出装置
５        ：制御装置
９        ：硬貨
１０      ：硬貨処理装置
１１      ：硬貨投入部
１２      ：硬貨識別装置
２０      ：紙幣処理装置
２１      ：搬入ベルト
２２      ：搬入モーター
２３      ：ゲート機構
２４      ：搬送板
３０      ：主硬貨容器
３１      ：第１収容室
３２      ：第２収容室
３３      ：硬貨排出装置
３９      ：予備硬貨容器
４１      ：搬出ベルト
４２      ：搬出モーター
４３      ：硬貨払出部
４４      ：内側硬貨払出部
４５      ：外側硬貨払出部
４５ａ    ：硬貨受部
４５ｂ    ：可動カバー部
５１      ：ＣＰＵ
５１ａ    ：硬貨入金制御部
５１ｂ    ：紙幣入金制御部
５１ｃ    ：釣銭額算出部
５１ｄ    ：硬貨出金制御部
５１ｅ    ：紙幣出金制御部
５２      ：ＲＡＭ
５３      ：二次記憶装置
５４      ：通信装置
６１      ：紙幣出入口
６３      ：紙幣搬送機構
６４      ：紙幣識別装置
６４ａ    ：光学装置
８１      ：スピーカー
９９      ：本体
９９ａ    ：フレーム
１００    ：正面外装部材
１００ａ  ：入金口
１００ｂ  ：出金口
１００ｘ  ：外側面
１００ｙ  ：内側面
１０１    ：第１正面
１０２    ：第２正面
２３１    ：シャッター
２３２    ：アクチュエーター
３１０    ：隔壁
３３０    ：回転板駆動機構
３３０ａ  ：排出モーター
３３０ｂ  ：排出ギヤ機構
３３１    ：第１回転板
３３２    ：第２回転板
４４１    ：硬貨案内部
４４１ａ  ：下板部
４４１ｂ  ：側板部
４４２、４４２Ｐ：シート部材
４４２ａ  ：側板固定部
４４２ｂ  ：側板延長部
４４２ｃ  ：連結部
４４２ｄ  ：本体側張出部
４４２ｅ  ：内側面固定部
４４２ｆ  ：孔
１０００  ：自動精算機
【図１】
2019159821.tif 000003
【図２】
2019159821.tif 000004
【図３】
2019159821.tif 000005
【図４】
2019159821.tif 000006
【図５】
2019159821.tif 000007
【図６】
2019159821.tif 000008
【図７】
2019159821.tif 000009